(57)【要約】【課題】天板上の使用性、作業面積及び意匠性を維持しつつ、天板上にこぼれた液体が配線収納部内に流れ込むのを抑えた作業台を提供する。【解決手段】作業台１は、縁部３１ａが形成された天板３１と、縁部の下方に設けられた第１底板４７、及び第１底板における水平面に沿う水平方向Ｙの一方側Ｙ１の端部に連なり下方に向かって延びる第１連結板４８を有する液受け部３６と、第２底板５０を有し、第１底板よりも下方であって、第１連結板よりも水平方向の他方側Ｙ２に配置された配線収納部４１と、を備える。【選択図】図４
2019084480.tif 000002
【特許請求の範囲】
【請求項１】
縁部が形成された天板と、
前記縁部の下方に設けられた第１底板、及び前記第１底板における水平面に沿う水平方向の一方側の端部に連なり下方に向かって延びる第１連結板を有する液受け部と、
第２底板を有し、前記第１底板よりも下方であって、前記第１連結板よりも前記水平方向の他方側に配置された配線収納部と、
を備えることを特徴とする作業台。
【請求項２】
前記第２底板における前記水平方向の一方側の端部は、前記第１連結板の下端部に連なる請求項１に記載の作業台。
【請求項３】
前記第２底板は、前記第１底板よりも前記水平方向の他方側に延びている請求項１又は２に記載の作業台。
【請求項４】
前記液受け部は、前記第１底板の前記水平方向の他方側の端部から上方に向かって延びる背面板を有する請求項１から３のいずれか一項に記載の作業台。
【請求項５】
前記配線収納部は、前記第２底板の前記水平方向の一方側の端部から上方に向かって延びて前記第２底板に連なり、前記第１連結板よりも前記水平方向の他方側に配置された第２連結板を有する請求項１に記載の作業台。
【請求項６】
前記第１連結板の下端部は、前記第２連結板の上端部よりも下方に配置されている請求項５に記載の作業台。
【請求項７】
前記液受け部は、前記配線収納部に対する、水平面に沿うとともに前記水平方向に直交する方向の外側で、前記天板に締結部材により取付けられている請求項１から６のいずれか一項に記載の作業台。
【発明の詳細な説明】
【技術分野】
【０００１】
本発明は、作業台に関する。
【背景技術】
【０００２】
従来、大学等の教育機関や、企業等の研究機関等では、各種実験を行う際に作業台が用いられている。電源を使用する実験装置を実験に用いるために、作業台の天板上で実験装置を使用し、天板の外縁部（縁部）の外側を通して、天板よりも下方に配置された配線収納部に配線等を導出させること行われている（例えば、特許文献１参照）。
【０００３】
特許文献１の作業台では、天板の奥側に形成された溝に、シール材をはめ込んでいる。シール材の上端部は、天板から上方へ円弧状に膨出している。天板にシール材がはめ込まれているため、天板上にこぼした液体が配線収納部内に流れ込むのが阻止される。
【先行技術文献】
【特許文献】
【０００４】
【特許文献１】特開２０１５−１９６１３８号公報
【発明の概要】
【発明が解決しようとする課題】
【０００５】
しかしながら、天板から膨出するシール材を設けると、天板上における作業面積が狭くなるのみならず、天板上に突出する部材を設けることで液体の入った容器を転倒させる要因になり、さらに意匠性も損なわれる。
【０００６】
本発明は、このような問題点に鑑みてなされたものであって、天板上の使用性及び作業面積を維持しつつ、天板上にこぼれた液体が配線収納部内に流れ込むのを抑えた作業台を提供することを目的とする。
【課題を解決するための手段】
【０００７】
上記課題を解決するために、この発明は以下の手段を提案している。
本発明の作業台は、縁部が形成された天板と、前記縁部の下方に設けられた第１底板、及び前記第１底板における水平面に沿う水平方向の一方側の端部に連なり下方に向かって延びる第１連結板を有する液受け部と、第２底板を有し、前記第１底板よりも下方であって、前記第１連結板よりも前記水平方向の他方側に配置された配線収納部と、を備えることを特徴としている。
この発明によれば、天板上にこぼれた液体は、縁部から下方に向かって流れる。この液体は、縁部の下方に設けられた、液受け部の第１底板上に流れ、さらにその一部は、第１底板に連なる第１連結板に沿って、第１連結板における水平方向の一方側の面上を流れる。配線収納部は、第１底板よりも下方であって、第１連結板よりも水平方向の他方側に配置されているため、第１連結板に沿って流れた液体が、配線収納部内に流れ込むのを抑えることができる。
また、液受け部は天板よりも下方に配置されているため、天板上の使用性及び作業面積を維持することができる。
【０００８】
また、上記の作業台において、前記第２底板における前記水平方向の一方側の端部は、前記第１連結板の下端部に連なってもよい。
この発明によれば、第１底板、第１連結板、及び第２底板が、板材を折り曲げて互いに連なるように形成されるため、第１連結板における水平方向の一方側の面上を流れた液体が配線収納部内に流れ込むのをより確実に抑えることができる。
【０００９】
また、上記の作業台において、前記第２底板は、前記第１底板よりも前記水平方向の他方側に延びていてもよい。
この発明によれば、配線収納部の第２底板上に、水平方向の他方側からコンセント等を配置しやすくすることができる。
【００１０】
また、上記の作業台において、前記液受け部は、前記第１底板の前記水平方向の他方側の端部から上方に向かって延びる背面板を有してもよい。
この発明によれば、第１底板上に流れた液体が、第１底板の水平方向の他方側から下方に落ちるのを抑制することができる。
【００１１】
また、上記の作業台において、前記配線収納部は、前記第２底板の前記水平方向の一方側の端部から上方に向かって延びて前記第２底板に連なり、前記第１連結板よりも前記水平方向の他方側に配置された第２連結板を有してもよい。
この発明によれば、第１連結板における水平方向の一方側の面上を流れて第１連結板から落ちた液体は、液体が下方に向かって落ちるため、第２連結板における水平方向の他方側の面上を流れにくい。従って、液体が配線収納部の第２底板上に流れ込むのを抑えることができる。
【００１２】
また、上記の作業台において、前記第１連結板の下端部は、前記第２連結板の上端部よりも下方に配置されていてもよい。
この発明によれば、第１連結板における水平方向の一方側の面上を流れて第１連結板から落ちた液体が、配線収納部の第２底板上に流れ込むのをより確実に抑えることができる。
【００１３】
また、上記の作業台において、前記液受け部は、前記配線収納部に対する、水平面に沿うとともに前記水平方向に直交する方向の外側で、前記天板に締結部材により取付けられていてもよい。
この発明によれば、天板の縁部から下方に向かって流れて、さらに締結部材を伝わって下方に落ちた液体が、配線収納部内に落ちるのを抑制することができる。
【発明の効果】
【００１４】
本発明の作業台によれば、天板上の使用性、作業面積及び意匠性を維持しつつ、天板上にこぼれた液体が配線収納部内に流れ込むのを抑えることができる。
【図面の簡単な説明】
【００１５】
【図１】本発明の第１実施形態の作業台を正面側から見た斜視図である。
【図２】同作業台を背面側から見た斜視図である。
【図３】同作業台の天板及び端部カバー以外の分解斜視図である。
【図４】同作業台の要部を側面視した断面図である。
【図５】本発明の第２実施形態の作業台の要部を側面視した断面図である。
【発明を実施するための形態】
【００１６】
（第１実施形態）
以下、本発明に係る作業台の第１実施形態を、図１から図４を参照しながら説明する。
図１から図３に示すように、本実施形態の作業台１は、下部構造体１１と、下部構造体１１上に支持された天板３１と、下部構造体１１に取付けられた液受け部３６及び配線収納部４１と、を備えている。なお、図３では、後述する下方支持部材４６、上方支持部材５４、及び中央カバー５５を一部だけ示している。
【００１７】
下部構造体１１の構成は、特に限定されない。例えば、下部構造体１１は、平面視で左右方向Ｘに長い矩形状に形成されている。下部構造体１１は、左右方向Ｘに間隔を空けて配置された一対の脚部材１２と、一対の脚部材１２同士を連結する前方ビーム１３、幕板１５と、を有している。
脚部材１２は、脚部本体１７と、支柱１８と、を有している。
脚部本体１７及び支柱１８は、左右方向Ｘの内側が開口する箱状に形成されている。脚部本体１７及び支柱１８は、例えば、金属製の板材を折り曲げることにより形成されている。脚部本体１７は、支柱１８よりも前後方向（水平方向）Ｙの長さが長い。なお、この例では、前後方向Ｙ及び左右方向Ｘは、それぞれ水平面に沿うとともに互いに直交する方向である。脚部本体１７の上面と支柱１８の上面とは、面一である。脚部本体１７の下面と支柱１８の下面とは、面一である。
【００１８】
脚部本体１７の下端部には、アジャスタ１９が取付けられている。アジャスタ１９は、脚部本体１７の高さを調節する。脚部本体１７は、支柱１８よりも前方（水平方向の一方側）Ｙ１に配置されている。脚部本体１７と支柱１８とは、図示しないネジ等により連結されている。
【００１９】
前方ビーム１３は、上方が開口するＵ字状に形成され、左右方向Ｘに延びている。前方ビーム１３は、脚部本体１７における前方Ｙ１の上端部に図示しないネジ等により連結されている。前方ビーム１３の上面と脚部本体１７の上面とは、面一である。
幕板１５は、幕板本体２２と、連結片２３と、を有している。幕板本体２２は、前後方向Ｙが厚さ方向となる板状に形成されている。幕板本体２２では、上部よりも下部が前方Ｙ１に向かって位置がずらされることにより、段部２２ａが形成されている。
連結片２３は、幕板本体２２の上端部から前方Ｙ１に向かって張り出している。連結片２３の上面と脚部本体１７の上面とは、面一である。
幕板１５は、脚部本体１７における後方（水平方向の他方側）Ｙ２の端部に図示しないネジ等により連結されている。
【００２０】
図３及び図４に示すように、幕板本体２２の上部には後方ビーム１４が固定されている。後方ビーム１４は、前方Ｙ１の下部が開口する角筒状に形成され、左右方向Ｘに延びている。後方ビーム１４のうち後方Ｙ２に配置された後壁部１４ａには、複数（本実施形態では４つ）の取付け孔１４ｂが形成されている。複数の取付け孔１４ｂは、互いに左右方向Ｘに間隔を空けて配置されている。後方ビーム１４の前壁部１４ｃは、幕板１５の幕板本体２２の上部にネジ（締結部材）２５により固定されている。なお、締結部材としては、ネジ２５以外にも、ボルト及びナット等を用いることができる。
後方ビーム１４の上面と連結片２３の上面とは、面一である。
【００２１】
図１及び図４に示すように、天板３１は、平面視で左右方向Ｘに長い矩形となる板状に形成されている。天板３１の後方Ｙ２の外縁部（縁部）３１ａは左右方向Ｘに延びている。図４に示すように、天板３１の外縁部３１ａ及び後方ビーム１４の後端部は、前後方向Ｙにおいて互いに同等である。
天板３１は、一対の脚部材１２、前方ビーム１３、及び幕板１５に下方から支持され、一対の脚部材１２、前方ビーム１３、及び幕板１５に図示しないネジ等により連結されている。
【００２２】
図２から図４に示すように、後方ビーム１４の下面には、一対の下方支持部材４６が取付けられている。
下方支持部材４６は、第１底板４７と、第１連結板４８と、第１背面板（背面板）４９と、第２底板５０と、第２背面板５１と、を有している。なお、第１底板４７、第１連結板４８、及び第１背面板４９で、後述する液体Ｌ６を受ける液受け部３６が構成される。第２底板５０及び第２背面板５１で、後述するコンセントＤ１等が配置される配線収納部４１が構成される。
【００２３】
図４に示すように、第１底板４７は、水平面に沿って延びるように配置されている。すなわち、第１底板４７の上面４７ａは、水平面に沿っている。第１底板４７は、天板３１の外縁部３１ａの下方に配置されている。第１底板４７の前端部は、天板３１の外縁部３１ａよりも前方Ｙ１に配置されている。第１底板４７の後端部は、天板３１の外縁部３１ａよりも後方Ｙ２に配置されている。第１底板４７は、後方ビーム１４の下面にネジ２５により固定されている。このネジ２５の位置については、後述する。
【００２４】
なお、第１底板４７の上面は、前方Ｙ１に向かうに従い漸次、下方に向かうように傾斜していてもよい。このように構成することで、第１底板４７上に流れた液体を前方Ｙ１に流すことができる。
また、第１底板４７の上面は、左右方向Ｘの一方に向かうに従い漸次、下方に向かうように傾斜していてもよい。このように構成することで、第１底板４７上に流れた液体を前記左右方向Ｘの一方に流すことができる。
第１底板４７は後方ビーム１４の下面に接触しているが、第１底板４７と後方ビーム１４とはネジ２５により固定されているため、第１底板４７と後方ビーム１４の下面との間には、わずかな隙間Ｓ１が形成されている。
【００２５】
第１連結板４８は、第１底板４７の前端部（天板３１の内方の端部）に連なり、第１底板４７の前端部から下方に向かって延びている。第１連結板４８は、幕板１５の幕板本体２２よりも後方Ｙ２に配置されている。第１連結板４８と幕板１５の幕板本体２２との間には、わずかな隙間Ｓ２が形成されている。
第１背面板４９は、第１底板４７の後端部に連なり、第１底板４７の後端部から上方に向かって延びている。第１背面板４９の上端部は、下方に向かって折り返されている。第１背面板４９の折り返し部は、第１背面板４９における折り返し部以外の部分よりも前方Ｙ１に配置されている。
【００２６】
第２底板５０は、水平面に沿って延びるように配置されている。すなわち、第２底板５０の上面５０ａは、水平面に沿っている。第２底板５０（配線収納部４１）は、第１底板４７よりも下方であって、第１連結板４８よりも後方Ｙ２に配置されている。第２底板５０の前端部は、第１連結板４８の下端部に連なっている。
第２底板５０の前端部、及び第１底板４７の前端部は、前後方向Ｙにおいて互いに同等である。第２底板５０は、第１底板４７よりも後方に延びている。すなわち、第２底板５０は、第１底板４７よりも前後方向Ｙに長い。
第２背面板５１は、第２底板５０の後端部に連なり、第２底板５０の後端部から上方に向かって延びている。第２背面板５１の上端部は、下方に向かって折り返されている。第２背面板５１の上端部は、第１底板４７よりも下方に配置されている。
【００２７】
図３に示すように、第１底板４７、第１連結板４８、第１背面板４９、第２底板５０、及び第２背面板５１それぞれの左右方向Ｘの中央部は互いに一致している。第１底板４７及び第１背面板４９の左右方向Ｘの長さは、互いに同等である。第１連結板４８、第２底板５０、及び第２背面板５１の左右方向Ｘの長さは、互いに同等である。第１底板４７及び第１背面板４９の左右方向Ｘの長さは、第１連結板４８、第２底板５０、及び第２背面板５１の左右方向Ｘの長さよりも長い。
すなわち、第１底板４７及び第１背面板４９は、第１連結板４８、第２底板５０、及び第２背面板５１よりも左右方向Ｘにそれぞれ突出している。
【００２８】
第１底板４７がネジ２５に固定されている位置は、第１連結板４８及び配線収納部４１よりも左右方向Ｘの外側である。すなわち、液受け部３６は、配線収納部４１に対する左右方向Ｘの外側で、後方ビーム１４及び幕板１５を介して天板３１にネジ２５により取付けられている。なお、液受け部３６が、ネジ２５により天板３１に直接取付けられていてもよい。
下方支持部材４６は、例えば、鋼板等を折り曲げることにより一体に形成されている。第１底板４７の上面４７ａと第２底板５０の上面５０ａとは、同一の鋼板における反対側の面である。
【００２９】
図２及び図４に示すように、下部構造体１１の後端部には、上方支持部材５４、中央カバー５５、端部カバー５６が取付けられている。
図４に示すように、上方支持部材５４は、支持部本体５９と、支持部６０と、腕部６１と、上方係合部６２と、下方係合部６３と、を有している。支持部本体５９は、前後方向Ｙが厚さ方向となる平板状に形成されている。
支持部６０は、支持部本体５９の上面における前方Ｙ１の部分に形成されている。支持部６０の上面は、図４に示す側面視において、上方に向かって凸となる曲面状に形成されている。
腕部６１は、支持部本体５９の上面における後方Ｙ２の部分に形成されている。腕部６１は、支持部本体５９から後方Ｙ２に向かうに従い漸次上方に向かう、斜め上方に延びている。
【００３０】
上方係合部６２は、支持部本体５９の前面における上下方向の中間部に配置されている。上方係合部６２は、支持部本体５９から前方Ｙ１に突出し、さらに突出した部分の前端部から上方に向かって突出している。
下方係合部６３は、支持部本体５９の下面における後方Ｙ２の部分に配置されている。下方係合部６３は、支持部本体５９との間に上下方向に隙間を空けて、支持部本体５９から前方Ｙ１に突出し、さらに突出した部分の前端部から下方に向かって突出している。
支持部本体５９、支持部６０、腕部６１、上方係合部６２、及び下方係合部６３は、樹脂等の弾性を有する材料で一体に形成されている。
【００３１】
後方ビーム１４において、上方係合部６２が取付け孔１４ｂの上端部に係合し、下方係合部６３が取付け孔１４ｂの下上端部に係合することにより、各取付け孔１４ｂに上方支持部材５４が取付けられている。複数（本実施形態では４つ）の上方支持部材５４は、左右方向Ｘに間隔を空けて配置されている。
一方で、例えば下方係合部６３を上方に向かって弾性的に変形させて下方係合部６３と取付け孔１４ｂとの係合を解除することにより、各取付け孔１４ｂから上方支持部材５４を取外すことができる。
【００３２】
中央カバー５５は、カバー本体６６と、ヒレ６７とを有している。カバー本体６６の下面における前方Ｙ１の端部には、第１凹部６６ａが形成されている。カバー本体６６の下面における第１凹部６６ａの後方Ｙ２の部分には、第２凹部６６ｂが形成されている。カバー本体６６は、例えば鋼板を折り曲げることにより形成されている。
ヒレ６７は、カバー本体６６の後端部に固定され、カバー本体６６から後方Ｙ２に突出している。ヒレ６７は、ゴム等の柔軟な材料で形成されている。
カバー本体６６の上面と天板３１の上面とは、面一である。カバー本体６６の第１凹部６６ａに支持部６０が係合し、第２凹部６６ｂに腕部６１が係合することにより、上方支持部材５４に中央カバー５５が取付けられている。中央カバー５５と天板３１との間には、隙間Ｓ３が形成されている。ヒレ６７の後端部と配線収納部４１の第２背面板５１とは、前後方向Ｙにおいて同等である。
【００３３】
図２に示すように、中央カバー５５は、左右方向Ｘに複数（本実施形態では２つ）並べて配置されている。本実施形態では、各中央カバー５５は、２つの上方支持部材５４により支持されている。
なお、上方支持部材５４に対して中央カバー５５を第１凹部６６ａ周りに回転させると、図４中に二点鎖線Ｌ１で示すように、上方支持部材５４の支持部６０から上方に向かって延びるように中央カバー５５を立てることができる。
図２に示すように、各中央カバー５５は、左右方向Ｘにおいて各下方支持部材４６に上下方向に対応する位置に配置されている。
【００３４】
端部カバー５６は、左右方向Ｘにおいて複数の中央カバー５５を挟むように一対配置されている。各端部カバー５６は、支柱１８の上端部に取付けられている。
【００３５】
次に、以上のように構成された作業台１を使用したときの作用について説明する。例えば、図４に示すように、作業台１の配線収納部４１の第２底板５０上には、コンセントＤ１が配置されている。コンセントＤ１から延びる配線Ｄ２は、配線収納部４１よりも上方かつ液受け部３６よりも後方Ｙ２の空間を通して、天板３１上に引き回されている。左右方向Ｘにおいて、コンセントＤ１が配置される配線収納部４１の上方には、液受け部３６が配置されている。
中央カバー５５のヒレ６７の後方Ｙ２の端部を二点鎖線Ｌ１で示すように下方に向かって撓ませることにより、配線Ｄ２の引き回しを容易に行うことができる。
【００３６】
作業台１の天板３１上で実験等を行い、天板３１上に薬品等の液体Ｌ６をこぼしたとする。例えば、この液体Ｌ６は、中央カバー５５と天板３１との間の隙間Ｓ３を通して、天板３１の外縁部３１ａから下方に向かって流れる。この液体Ｌ６は、外縁部３１ａの下方に設けられた、液受け部３６の第１底板４７上を流れ、さらに、第１底板４７と後方ビーム１４の下面との隙間Ｓ１、及び第１連結板４８と幕板１５の幕板本体２２との間の隙間Ｓ２を通して、第１底板４７に連なる第１連結板４８に沿って、第１連結板４８の前面上を流れる。配線収納部４１は、第１底板４７よりも下方であって、第１連結板４８よりも後方Ｙ２に配置されているため、第１連結板４８に沿って流れた液体Ｌ６が配線収納部４１内に流れ込むのを抑えられる。
【００３７】
隙間Ｓ２を通して流れた液体Ｌ６は、幕板１５の幕板本体２２に沿って作業台１の下方に流れる。
なお、第１底板４７上を流れた液体Ｌ６が、第１底板４７を後方ビーム１４に取付けているネジ２５を伝わって下方に落ちても、ネジ２５の下方には配線収納部４１は配置されていない。
【００３８】
以上説明したように、本実施形態の作業台１によれば、第１連結板４８に沿って流れた液体Ｌ６が、配線収納部４１内に流れ込むのを抑えることができる。第１底板４７の上面４７ａと第２底板５０の上面５０ａとは、同一の鋼板における反対側の面である。このため、液体Ｌ６が鋼板を透過しない限り、液体Ｌ６が配線収納部４１内に流れ込むのを抑えることができる。
また、液受け部３６は天板３１よりも下方に配置されているため、天板３１上の使用性及び作業面積を維持することができる。
【００３９】
第２底板５０の前端部は、第１連結板４８の下端部に連なる。第１底板４７、第１連結板４８、及び第２底板５０が、鋼板等を折り曲げて互いに連なるように形成されるため、第１連結板４８の前面上を流れた液体Ｌ６が配線収納部４１内に流れ込むのをより確実に抑えることができる。
配線収納部４１の第２底板５０は、液受け部３６の第１底板４７よりも後方Ｙ２に延びている。このため、第２底板５０上に、後方Ｙ２からコンセントＤ１等を配置しやすくすることができる。
【００４０】
液受け部３６は、第１背面板４９を有する。従って、第１底板４７上に流れた液体Ｌ６が、第１底板４７の後方Ｙ２から下方に落ちるのを抑制することができる。
液受け部３６は、配線収納部４１に対する左右方向Ｘの外側で、天板３１にネジ２５により取付けられている。従って、天板３１の外縁部３１ａから下方に向かって流れて、さらにネジ２５を伝わって下方に落ちた液体Ｌ６が、配線収納部４１内に落ちるのを抑制することができる。
【００４１】
（第２実施形態）
次に、本発明の第２実施形態について図５を参照しながら説明するが、実施形態と同一の部位には同一の符号を付してその説明は省略し、異なる点についてのみ説明する。
図５に示すように、本実施形態の作業台２は、第１実施形態の作業台１の下方支持部材４６に代えて、下方支持部材７１を備えている。下方支持部材７１は、下方支持部材４６の第１連結板４８に代えて、第１連結板７２及び第２連結板７３を有している。なお、第１底板４７、第１連結板７２、及び第１背面板４９で液受け部７５が構成され、第２連結板７３、第２底板５０、及び第２背面板５１で、配線収納部７６が構成される。
【００４２】
第１連結板７２は、第１底板４７の前端部に連なり、第１底板４７の前端部から下方に向かって延びている。第１連結板７２は、幕板１５の幕板本体２２よりも後方Ｙ２に配置されている。第１連結板７２と幕板１５の幕板本体２２との間には、わずかな隙間Ｓ５が形成されている。第１連結板７２の下端部は、第２連結板７３の上端部よりも下方であって、第２底板５０よりも上方に配置されている。
第２連結板７３は、第２底板５０の前端部から上方に向かって延びている。第２連結板７３は、第２底板５０の前端部に連なる。第２連結板７３は、第１連結板７２よりも後方Ｙ２に配置されている。
第１連結板７２及び第２連結板７３は、幕板１５の幕板本体２２にネジ２５により固定されている。
【００４３】
次に、以上のように構成された作業台２を使用したときの作用について説明する。
天板３１上にこぼれた液体Ｌ６は、中央カバー５５と天板３１との間の隙間Ｓ３を通して、天板３１の外縁部３１ａから下方に向かって流れる。この液体Ｌ６は、液受け部３６の第１底板４７上に流れ、さらに、第１底板４７と後方ビーム１４の下面との隙間Ｓ１、及び第１連結板７２と幕板１５の幕板本体２２との間の隙間Ｓ５を通して、第１底板４７に連なる第１連結板７２に沿って、第１連結板７２の前面上を流れる。第２底板５０に連なる第２連結板７３は第１連結板７２よりも後方Ｙ２に配置されているため、第１連結板７２の前面上を流れる液体Ｌ６が配線収納部７６の第２底板５０上に流れ込むのが抑制される。
【００４４】
以上説明したように、本実施形態の作業台２によれば、天板３１上の使用性及び作業面積を維持することができる。
さらに、作業台２が、第１連結板７２、及び第１連結板７２よりも後方Ｙ２に配置された第２連結板７３を備える。第１連結板７２の前面上を流れて第１連結板７２から落ちた液体Ｌ６は、液体Ｌ６が下方に向かって落ちるため、第２連結板７３の後面上を流れにくい。従って、液体Ｌ６が配線収納部７６の第２底板５０上に流れ込むのを抑えることができる。
第１連結板７２の下端部は、第２連結板７３の上端部よりも下方に配置されている。このため、第１連結板７２の前面上を流れて第１連結板７２から落ちた液体Ｌ６が、配線収納部７６の第２底板５０上に流れ込むのをより確実に抑えることができる。
【００４５】
以上、本発明の第１実施形態及び第２実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態及び第２実施形態では、第２底板５０の後端部と第１底板４７の後端部とは前後方向Ｙにおいて同等か、第１底板４７が第２底板５０よりも後方Ｙ２に延びていてもよい。
【００４６】
液受け部３６，７５は第１背面板４９を有しなくてもよいし、配線収納部４１，７６は第２背面板５１を有しなくてもよい。
水平方向の一方側が前方Ｙ１であり、他方側が後方Ｙ２であるとした。しかし、水平方向の一方側が後方であり、他方側が前方である等としてもよい。水平方向は前後方向Ｙであるとしたが、水平方向はこれに限定されず、左右方向Ｘ等でもよい。
縁部は、天板３１の外縁部３１ａであるとした。しかし、天板３１に上下方向に天板３１を貫通する開口が形成されている場合には、縁部は、天板３１における開口の周縁部であってもよい。
【符号の説明】
【００４７】
１，２  作業台
２５  ネジ（締結部材）
３１  天板
３１ａ  外縁部（縁部）
３６，７５  液受け部
４１，７６  配線収納部
４７  第１底板
４８，７２  第１連結板
４９  第１背面板（背面板）
５０  第２底板
７３  第２連結板
Ｘ    左右方向（直交する方向）
Ｙ    前後方向（水平方向）
Ｙ１  前方（一方側）
Ｙ２  後方（他方側）
【図１】
2019084480.tif 000003
【図２】
2019084480.tif 000004
【図３】
2019084480.tif 000005
【図４】
2019084480.tif 000006
【図５】
2019084480.tif 000007